(57)【要約】【課題】導体の伸びに対応できる吸収部分を備え、長軸方向および短軸方向における製造上の柔軟性を備えて、低コストで各種状況に対応することができる絶縁トロリ線用絶縁カバーを提供する。【解決手段】摺導面を有する上部導体部と一体的に形成された側面導体部とを備え同一断面形状の導体の外周面を覆い側面導体部の下方に突出した脚部を一体的に備えた絶縁カバー本体と、絶縁カバー本体の一方の端部の外周面を覆うように嵌合される、絶縁カバー本体と対応した形状の外部絶縁カバーとを備えた、絶縁トロリ線用絶縁カバー。前記外部絶縁カバーは、長軸方向に配置された２つの前記絶縁カバー本体のそれぞれの対向する端部を覆い、前記２つの絶縁カバー本体を接続することができる長さを有している。絶縁カバー本体の上面部に、絶縁カバー本体を支持するハンガー部が一体的に形成されている。【選択図】図１
2010200526.tif 000002
【特許請求の範囲】
【請求項１】
摺導面を有する上部導体部と一体的に形成された側面導体部とを備え同一断面形状の導体の外周面を覆い前記側面導体部の下方に突出した脚部を一体的に備えた絶縁カバー本体と、
前記絶縁カバー本体の一方の端部の外周面を覆うように嵌合される、前記絶縁カバー本体と対応した形状の外部絶縁カバーとを備えた、絶縁トロリ線用絶縁カバー。
【請求項２】
前記外部絶縁カバーは、長軸方向に配置された２つの前記絶縁カバー本体のそれぞれの対向する端部を覆い、前記２つの絶縁カバー本体を接続することができる長さを有していることを特徴とする請求項１に記載の絶縁トロリ線用絶縁カバー。
【請求項３】
前記絶縁カバー本体および前記外部絶縁カバーは、接触集電子が前記脚部間を走行可能な連続した開口部を備えていることを特徴とする、請求項１または２に記載の絶縁トロリ線用絶縁カバー。
【請求項４】
前記絶縁カバー本体の上面部に、前記絶縁カバー本体を支持するハンガー部が一体的に形成されていることを特徴とする、請求項１から３の何れか１項に記載の絶縁トロリ線用絶縁カバー。
【請求項５】
前記ハンガー部は、前記絶縁カバー本体の長軸方向に対して垂直方向に断面概ね凸状に一体的に形成されていることを特徴とする、請求項４に記載の絶縁トロリ線用絶縁カバー。
【請求項６】
前記ハンガーを含む前記絶縁カバー本体および前記外部絶縁カバーが射出成形によって成形されていることを特徴とする、請求項１から５の何れか１項に記載の絶縁トロリ線用絶縁カバー。
【請求項７】
前記絶縁カバー本体の前記開口部は、前記接触集電子に向かって閉塞した形状を備えていることを特徴とする請求項１から６の何れか１項に記載の絶縁トロリ線用絶縁カバー。
【請求項８】
前記外部絶縁カバーが、伸び吸収機能を備えていることを特徴とする、請求項１から７の何れか１項に記載の絶縁トロリ線用絶縁カバー。
【発明の詳細な説明】
【技術分野】
【０００１】
この発明は、クレーン、搬送台車等に電力を供給し、信号を伝送するための絶縁トロリ線の導体に使用される絶縁トロリ線用絶縁カバーに関する。
【背景技術】
【０００２】
従来、クレーン、搬送台車等に電力を供給し、信号を伝送するために絶縁トロリ線が使用されてきた。絶縁トロリ線は、通常銅等の導電金属の導体の外周面に、接触集電のための開口部を除いて、絶縁カバーを設けたものである。図９は、絶縁トロリ線から集電する接触集電子を備えた集電装置の一例を説明する図である。図９を参照して、絶縁トロリ線からの集電について説明する。上述した絶縁トロリ線は、通常一定間隔でハンガーによって支持して、クレーン、搬送台車等の走行路に沿って平行に敷設し、接触集電子を備えた集電装置を介してクレーン、搬送台車等に電力を供給し、信号を伝送する。
【０００３】
図９に示すように、例えば、接触集電子を備えた集電装置１００において、取り付け金具１０５を介してアーム１０１が、絶縁トロリ線に向かって円弧状に起伏自在に、クレーンに取り付けられている。アーム１０１の先端部には、ピン１０６を介して集電子１０２が揺動可能に取り付けられている。集電子１０２は例えばカーボン、銅等の焼結合金製のブラシからなっている。集電子１０２にはリード線１０４が接続されている。リード線１０４は、クレーンのモータ等の負荷に接続されている。
【０００４】
アーム１０１の先端部と取り付け金具１０５の間には、引張ばね１０３が備えられており、引張ばね１０３の付勢力によって集電子１０２のブラシが絶縁トロリ線の導体に押し付けられる。上述したように、集電子１０２のブラシが絶縁トロリ線の導体と接触摺動して集電して、リード線１０４を介してクレーン等に電力を供給する。
【０００５】
図７は、絶縁トロリ線を支持するハンガーを説明する断面図である。上述したように、絶縁トロリ線１０７は、通常銅等の導電金属の導体１０９の外周面に接触集電のための開口部を除いて、絶縁カバー１１０を設けている。絶縁トロリ線１０７は、通常一定間隔でハンガー１０８によって支持して、クレーン、搬送台車等の走行路に沿って平行に敷設されている。ハンガー１０８は、絶縁トロリ線１０７の上部を外側から挟み込むように把持して、例えば天井等に支持する。絶縁トロリ線１０７の絶縁カバー１１０は、通常押し出し成形によって成形されており、ハンガー１０８は別部材で形成され、装着されている。
【０００６】
図８は、絶縁導体と絶縁導体を接続するジョイントを説明する断面図である。図８に示すように、絶縁導体１１１と絶縁導体１１１を結合するためにジョイント１１２が用いられる。ジョイント１１２は、２つの絶縁導体１１１をネジ等によって結合するジョイントクランプ１１３と、全体を覆うジョイントカバー１１４を備えている。  
【先行技術文献】
【特許文献】
【０００７】
【特許文献１】特開２００６−２１８９０５号公報
【特許文献２】特開２００３−２３５１０２号公報
【発明の概要】
【発明が解決しようとする課題】
【０００８】
絶縁トロリ線は、導体の温度変化によって伸縮する。このために、絶縁トロリ線の導体の伸びを吸収するためのエキスパンションユニットを備えている。エキスパンションユニットとしては、具体的に、例えば、導体同士を結合するジョイントがあり、導体の伸縮に対応する吸収機能をジョイントに持たせている。ところで、導体と絶縁カバーの収縮率が異なるので、絶縁カバーには、導体の伸びを吸収するための吸収部分を設けることが必要とされる。絶縁カバーの上述した吸収部分は、従来、ジョイントに設けられていた。そのため、ジョイントの寸法が大きくなるという問題点があった。
【０００９】
更に、絶縁導体は、ハンガーによって支持され、スライドされるので、断面が同一の形状を有している。絶縁導体は、このような形状を備えているので、一般的に押し出し成形によって製造されている。押し出し成形は、同一断面の形状の絶縁導体を製造するのに適している。しかし、短軸方向における柔軟性に乏しく、要求に応じた自在の形状を成形するのが困難であるという問題点がある。更に、ハンガーは、絶縁導体と別部材を用いる必要があり、部品点数が増加して、製造コストが高くなるという問題点がある。
【００１０】
従って、この発明の目的は、導体の伸びに対応できる吸収部分を備え、長軸方向および短軸方向における製造上の柔軟性を備えて、低コストで各種状況に対応することができる絶縁トロリ線用絶縁カバーを提供することにある。
【課題を解決するための手段】
【００１１】
本発明者は、上述した従来の問題点を解決すべく鋭意研究を重ねた。その結果、以下のことが判明した。
即ち、従来の押し出し成形ではなく、射出成形を適用して、相対的に短尺の絶縁カバーを製造し、このように製造された絶縁カバーの何れか一方の端部の外周面を覆うように嵌合される、絶縁カバーと対応した形状の外部絶縁カバーを備えることによって、短尺の絶縁カバーを外部絶縁カバーによって接続して、所望の長さの絶縁カバーを得ることができる。
【００１２】
更に、このように形成された外部絶縁カバーを用いることによって、導体の伸びに対応できる吸収部分を絶縁カバー自体において備えることができる。更に、射出成形によって成形するので、従来別部材であったハンガーを一体的に形成するこができ、各種使用状況に対応することができる。
【００１３】
この発明は、上記研究結果に基づいてなされたものであって、この発明の絶縁トロリ線用絶縁カバーの第１の態様は、摺導面を有する上部導体と一体的に形成された側面導体とを備え同一断面形状の導体の外周面を覆い前記側面導体の下方に突出した脚部を一体的に備えた絶縁カバー本体と、前記絶縁カバー本体の一方の端部の外周面を覆うように嵌合される、前記絶縁カバー本体と対応した形状の外部絶縁カバーとを備えた、絶縁トロリ線用絶縁カバーである。
【００１４】
この発明の絶縁トロリ線用絶縁カバーの第２の態様は、前記外部絶縁カバーは、長軸方向に配置された２つの前記絶縁カバー本体のそれぞれの対向する端部を覆い、前記２つの絶縁カバー本体を接続することができる長さを有していることを特徴とする絶縁トロリ線用絶縁カバーである。
【００１５】
この発明の絶縁トロリ線用絶縁カバーの第３の態様は、前記絶縁カバー本体および前記外部絶縁カバーは、接触集電子が前記脚部間を走行可能な連続した開口部を備えていることを特徴とする絶縁トロリ線用絶縁カバーである。
【００１６】
この発明の絶縁トロリ線用絶縁カバーの第４の態様は、前記絶縁カバー本体の上面部に、前記絶縁カバー本体を支持するハンガー部が一体的に形成されていることを特徴とする絶縁トロリ線用絶縁カバーである。
【００１７】
この発明の絶縁トロリ線用絶縁カバーの第５の態様は、前記ハンガー部は、前記絶縁カバー本体の長軸方向に対して垂直方向に断面概ね凸状に一体的に形成されていることを特徴とする絶縁トロリ線用絶縁カバーである。
【００１８】
この発明の絶縁トロリ線用絶縁カバーの第６の態様は、前記ハンガーを含む前記絶縁カバー本体および前記外部絶縁カバーが射出成形によって成形されていることを特徴とする絶縁トロリ線用絶縁カバーである。
【００１９】
この発明の絶縁トロリ線用絶縁カバーの第７の態様は、前記絶縁カバー本体の前記開口部は、前記接触集電子に向かって閉塞した形状を備えていることを特徴とする絶縁トロリ線用絶縁カバーである。
【００２０】
この発明の絶縁トロリ線用絶縁カバーの第８の態様は、前記外部絶縁カバーが、伸び吸収機能を備えていることを特徴とする絶縁トロリ線用絶縁カバーである。
【発明の効果】
【００２１】
この発明によると、従来の押し出し成形ではなく、射出成形を適用して、相対的に短尺の絶縁カバー本体を製造し、このように製造された絶縁カバー本体の何れか一方の端部の外周面を覆うように嵌合される、絶縁カバー本体と対応した形状の外部絶縁カバーを備えているので、短尺の絶縁カバーを外部絶縁カバーによって接続して、所望の長さの絶縁カバーを得ることができる。更に、このように形成された外部絶縁カバーを用いるので、導体の伸びに対応できる吸収部分を絶縁カバー自体において備えることができる。更に、射出成形によって成形するので、従来別部材であったハンガーを一体的に形成することができる。
【図面の簡単な説明】
【００２２】
【図１】図１は、この発明の絶縁トロリ線用絶縁カバーを説明する断面図である。
【図２】図２は、絶縁トロリ線を説明する部分斜視図である。
【図３】図３は、絶縁カバー本体の一方の端部に形成された外部絶縁カバーを説明する斜視図である。
【図４】図４は、外部絶縁カバーによって接続された複数の絶縁カバー本体を説明する斜視図である。
【図５】図５は、一体的に形成されたハンガー部を備えたこの発明の絶縁トロリ線用絶縁カバーの１つの態様を説明する斜視図である。
【図６】図６は、外部絶縁カバーによって接続された、一体的に形成されたハンガー部を備えた絶縁カバー本体を説明する斜視図である。
【図７】図７は、絶縁トロリ線を支持するハンガーを説明する断面図である。
【図８】図８は、絶縁導体と絶縁導体を接続するジョイントを説明する断面図である。
【図９】絶縁トロリ線から集電する接触集電子を備えた集電装置の一例を説明する図である。
【発明を実施するための形態】
【００２３】
この発明の絶縁トロリ線用絶縁カバーの実施形態について図面を参照しながら詳細に説明する。
この発明の絶縁トロリ線用絶縁カバーの１つの態様は、摺導面を有する上部導体部と一体的に形成された側面導体部とを備え同一断面形状の導体の外周面を覆い側面導体部の下方に突出した脚部を一体的に備えた絶縁カバー本体と、絶縁カバー本体の一方の端部の外周面を覆うように嵌合される、絶縁カバー本体と対応した形状の外部絶縁カバーとを備えた、絶縁トロリ線用絶縁カバーである。
【００２４】
図１は、この発明の絶縁トロリ線用絶縁カバーを説明する断面図である。図１に示すように、絶縁トロリ線１は、導体２と、導体２の外側を覆う絶縁カバー本体５と、絶縁カバー本体５の端部の外周面を覆う外部絶縁カバー６とを備えている。導体２は、高い剛性を有し、集電子が接触摺動する摺導面７を有する上部導体部３と一体的に形成された側面導体部４とを備え、同一断面形状を有している。側面導体部４は、上部導体部３の両側に下方に向かって延伸して形成されており、摺導面７に沿って接触摺動する集電子の移動を誘導するガイド機能を備え、導体２の外周面を覆う絶縁カバー本体５の摩耗を防止する。
【００２５】
集電子（例えば銅合金製）が長手方向に向かって円滑に接触摺動することができるように、導体２は上述したように同一断面形状を有している。絶縁カバー本体５は、上部導体部３および側面導体部４を備えた導体２の外周面を覆うように形成されている。絶縁カバー本体５の下端部は、側面導体部４の下端部から更に下方に延伸して内側に向かって形成されている。
【００２６】
絶縁カバー本体５は、導体２と同様に、集電子が上部導体部３の摺導面７と接触摺動するために、下面に開口部を備えている。絶縁カバー本体５の下端部が内側に向かって延伸して形成されることによって、塵埃等の浸入を防止することができる。絶縁カバー本体５の一方の端部の外周面を覆うように、外部絶縁カバー６が形成されている。外部絶縁カバー６は、絶縁カバー本体５と対応した形状を有している。
【００２７】
即ち、外部絶縁カバー６は、絶縁カバー本体５と概ね同一厚さで、絶縁カバー本体５の外側に嵌合することができる形状である。このように絶縁カバー本体５の一方の端部の外周面に外部絶縁カバー６を嵌合して固定することによって、温度変化による導体の伸び、収縮に対応できる吸収部分を備えることができる。更に、後述するように、複数の絶縁カバー本体５を長軸方向に敷設し、これらの絶縁カバー本体５を外部絶縁カバー６によって接続することができる。
【００２８】
図２は、絶縁トロリ線を説明する部分斜視図である。図１を参照して説明した絶縁トロリ線の一部分を示している。図２に示すように、絶縁トロリ線１において、上部導体部３および側面導体部４を備えた導体２の外周面を覆うように絶縁カバー本体５が設けられている。絶縁カバー本体５の下端部は、上述したように、集電子が上部導体部３の摺導面７と接触摺動するために、開放されている。
【００２９】
図２においては、導体２に装着された絶縁カバー本体５を説明するために、導体２の全長にわたって絶縁カバー本体５が覆われていないが、通常は導体２の全長にわたって絶縁カバー本体５が覆われている。更に、図２では、本発明の外部絶縁カバー６を示していない。図２に示す絶縁トロリ線１において、導体２および絶縁カバー本体５の間の収縮率が異なるので、絶縁カバー本体５は、収縮率の差を吸収する吸収部分を備える必要がある。従来は、導体２および絶縁カバー本体５の間の収縮率の差を吸収する部分を、ジョイント部に設けていた。
【００３０】
図３は、絶縁カバー本体の一方の端部に形成された外部絶縁カバーを説明する斜視図である。図３に示すように、図示しない上部導体部３および側面導体部４を備えた導体２の外周面を覆うように絶縁カバー本体５が設けられ、絶縁カバー本体５の一方の端部の外周面を覆うように外部絶縁カバー６が設けられている。上述したように、外部絶縁カバー６は、絶縁カバー本体５に対応した形状を有しており、絶縁カバー本体５の外周面に嵌合させて固定されている。対応した形状は、絶縁カバー本体５および外部絶縁カバー６が相似形であり、概ね同一厚さを有していることを意味している。即ち、絶縁カバー本体５の一方の端部の外周面に外部絶縁カバー６を嵌合させて、固定することができる形状を、相互に有している。
【００３１】
この発明の絶縁カバー本体５および外部絶縁カバー６は、共に、射出成形によって成形されている。従って、絶縁カバー本体５の長さは、従来の押し出し成形による絶縁カバーよりも相対的に短尺である。外部絶縁カバー６の長さは、導体２と絶縁カバー本体５の収縮率の差を吸収するために必要な長さであればよい。更に、長軸方向に配置した２つの絶縁カバー本体５を接続するために必要な長さであればよい。なお、絶縁カバー本体５および外部絶縁カバー６の断面形状は、図１に示した形状に限定されることなく、適用する導体の断面形状に対応して適宜修正することができる。
【００３２】
図４は、外部絶縁カバーによって接続された複数の絶縁カバー本体を説明する斜視図である。図４に示す態様においては、３本の絶縁カバー本体５が外部絶縁カバー６によって接続されている。図４に示す態様は、図３を参照して説明した、一方の端部の外周面に外部絶縁カバー６を嵌合して固定させた絶縁カバー本体５を、長軸方向に３組配置した。
【００３３】
このように配置した３組の絶縁カバー本体５のそれぞれの外部絶縁カバー６における開放された側の端部に、順次、外部絶縁カバー６が嵌合されていない側の端部を嵌合して接続している。外部絶縁カバー６内では、２つの絶縁カバー本体の対向する端部が接触するように間隙を空けることなく配置されている。なお、外部絶縁カバー内における、２つの絶縁カバー本体の対向する端部の間の間隔を調整して、導体と絶縁カバー本体の間の収縮率の差を吸収する吸収部分としてもよい。
【００３４】
図４に示す態様においては、一方の端部の外周面に外部絶縁カバー６を嵌合して固定させた絶縁カバー本体５を、長軸方向に３組配置したが、組数はこれに限定されることなく、状況に対応して適宜増減することができる。なお、絶縁カバー本体５および外部絶縁カバー６のそれぞれの長さも、使用状況に応じて適宜設定することができる。
【００３５】
図５は、一体的に形成されたハンガー部を備えたこの発明の絶縁トロリ線用絶縁カバーの１つの態様を説明する斜視図である。図５に示すように、この態様においては、一方の端部の外周面に外部絶縁カバー６を嵌合して固定させた絶縁カバー本体５の概ね中央部に、絶縁カバー本体５を支持するハンガー部８が、別部材ではなく、１つの部品として一体的に形成されている。ハンガー部８の形状は、使用状況に応じて適宜設定することができる。
【００３６】
この発明においては、絶縁カバー本体５は射出成形によって成形されるので、所望の形状のハンガー部８を絶縁カバー本体５と一体的に容易に形成することができる。なお、図５に示す態様においては、外部絶縁カバー６が嵌合される絶縁カバー本体５の一方の端部が、図３および図４を参照して説明した態様と異なっているが、絶縁カバー本体５の何れか一方の端部に嵌合されればよい。また、状況に対応して両端部に外部絶縁カバー６がそれぞれ嵌合されてもよい。
【００３７】
図６は、外部絶縁カバーによって接続された、一体的に形成されたハンガー部を備えた絶縁カバー本体を説明する斜視図である。この態様においては、図５を参照して説明した、一方の端部の外周面に外部絶縁カバー６を嵌合して固定させ、概ね中央部に、一体的に形成されたハンガー部８を備えた絶縁カバー本体５が長軸方向に接続されている。図６に示すように、図左側から右側に向かって、中央部にハンガー部が一体的に形成され、端部に外部絶縁カバー６が嵌合された３組の絶縁カバー本体５が、長軸方向に沿って配置される。
【００３８】
このように配置された、３組の絶縁カバー本体５のそれぞれの外部絶縁カバー６における開放された側の端部に、順次、外部絶縁カバー６が嵌合されていない側の端部を嵌合して接続している。絶縁カバー本体５の長さ、ハンガー部８の位置等を適宜設定することによって、所望の間隔でハンガー部８が配置された、絶縁トロリ線用絶縁カバーを得ることができる。
【００３９】
上述したように、この発明によると、導体の伸びに対応できる吸収部分を備え、長軸方向および短軸方向における製造上の柔軟性を備えて、低コストで各種状況に対応することができる絶縁トロリ線用絶縁カバーを提供することができる。
【符号の説明】
【００４０】
１  絶縁トロリ線
２  導体
３  上部導体部
４  側面導体部
５  絶縁カバー本体
６  外部絶縁カバー
７  摺導面
８  ハンガー部
１００  集電装置
１０１  アーム
１０２  集電子
１０３  引張ばね
１０４  リード線
１０５  取り付け金具
１０６  ピン
１０７  絶縁トロリ線
１０８  ハンガー
１０９  導体
１１０  絶縁カバー
１１１  １１１
１１２  ジョイント
１１３  ジョイントクランプ
１１４  ジョイントカバー
【図１】
2010200526.tif 000003
【図２】
2010200526.tif 000004
【図３】
2010200526.tif 000005
【図４】
2010200526.tif 000006
【図５】
2010200526.tif 000007
【図６】
2010200526.tif 000008
【図７】
2010200526.tif 000009
【図８】
2010200526.tif 000010
【図９】
2010200526.tif 000011